【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  卵管組織を有する卵管で使用するための組織反応型避妊具であって、近位端および遠位端を有し、これらの端間に１つの軸線を構成するコイルであり、軸線方向に可撓性であり、卵管に挿入するのに適した横断面を有するコイルと、
このコイルに沿って配置され、コイルに隣接した卵管組織の組織反応を生じさせて受胎を阻害する要素とを包含することを特徴とする避妊具。
【請求項２】  請求項１に記載の避妊具において、
要素が編んだか織ったポリエステルを含むことを特徴とする避妊具。
【請求項３】  請求項１に記載の避妊具において、
要素が、卵管組織の組織内殖を促進する細孔を構成する孔明き材料からなることを特徴とする避妊具。
【請求項４】  請求項３に記載の避妊具において、
孔明き材料が、PTFE、セラミック、微孔性重合体からなるグループから選んだ部材からなることを特徴とする避妊具。
【請求項５】  請求項１に記載の避妊具において、
要素が、卵管組織の瘢痕形成、卵管組織の内殖、卵管組織の硬化うち少なくとも１つを促進させる重合体コーティングを含むことを特徴とする避妊具。
【請求項６】  卵管組織を有する卵管で使用するための組織内殖避妊具であって、近位端、遠位端およびそれらの間の軸線を有する管状の保持構造を包含し、この保持構造が軸線方向に可撓性であって卵管の中に挿入可能であり、また、卵管組織の内殖を起こすことができる材料を包含し、この材料を保持構造に取り付けたことを特徴とする避妊具。
【請求項７】  請求項６に記載の避妊具において、
材料が、編んだか織ったポリエステルからなることを特徴とする避妊具。
【請求項８】  請求項７に記載の避妊具において、
保持構造が少なくとも１つの半径方向の開口を有する孔明きフレームを包含し、編んだあるいは織ったポリエステルが、前記少なくとも１つの半径方向の開口を通って管状の保持構造を越えて半径方向に延びていることを特徴とする避妊具。
【請求項９】  請求項６に記載の避妊具において、
保持構造が、鋭い縁を有する螺旋形の外側コイルを包含することを特徴とする避妊具。
【請求項１０】  請求項６に記載の避妊具において、
管状の保持構造内に配置した内側コイルを更に包含し、材料の少なくとも一部が内側コイルと保持構造との間にあるループ状スペース内に配置してあることを特徴とする避妊具。
【請求項１１】  請求項１０に記載の避妊具において、
卵管内で軸線方向に避妊具を案内するのを助けるに充分な弾力可撓性をもって内側コイルが保持構造を越えて遠位方向に延びていることを特徴とする避妊具。
【請求項１２】  卵管で使用するための組織内殖避妊具であって、
近位端、遠位端を有し、これらの端の間に軸線を構成する弾力的な細長いボデーと、
弾力的なボデーに沿って配置してあり、卵管内に弾力的なボデーを拘束するようになっている保持構造と、
弾力的なボデーに保持構造を取り付けているボンドとを包含し、
弾力的なボデー、保持構造およびボンドのうち少なくとも１つが組織内殖を促進する微孔性材料からなることを特徴とする避妊具。
【請求項１３】  卵管壁を有する卵管で使用するための避妊具であって、
近位端、遠位端およびこれらの間の軸線を有する管状の保持構造を包含し、
この保持構造が、細い直径形態その場で半径方向に拡大可能であり、細い形態のときの保持構造が、卵管内へ軸線方向に挿入するのに適した第１の直径を有し、
拡大したときの保持構造が、第１の直径より大きい第２の直径を有し、周囲の卵管壁と係合し、卵管内に避妊具を保持するようになっていることを特徴とする避妊具。
【請求項１４】  請求項１３に記載の避妊具において、
保持構造が、弾力的な螺旋形のコイルを包含することを特徴とする避妊具。
【請求項１５】  請求項１４に記載の避妊具において、
コイルが、卵管横断面サイズ範囲全体にわたって卵管壁と安全に係合するように弾力的に拡大することを特徴とする避妊具。
【請求項１６】  請求項１５に記載の避妊具において、
コイルが、卵管内に避妊具を保持する助けとなるには充分であるが、卵管壁を貫通するには不充分である拡大力で、約0.10ｍｍ〜約1.0ｍｍの範囲を通じて直径を拡げるように弾力的に拡大することを特徴とする避妊具。
【請求項１７】  請求項１４に記載の避妊具において、
コイルが、鋭い外縁を有することを特徴とする避妊具。
【請求項１８】  請求項１４に記載の避妊具において、
コイルに取り付けた受胎阻害体を更に包含することを特徴とする避妊具。
【請求項１９】  請求項１８に記載の避妊具において、
コイルの一部が、ボデーに取り付けてあり、コイルの一端が、コイルが第１の直径から拡大したときにボデーに対して動くことを特徴とする避妊具。
【請求項２０】  請求項１８に記載の避妊具において、
ボデーが、コイルの遠位方向に延びており、弾力的に撓んで卵管内で遠位方向に避妊具を案内する助けとなることを特徴とする避妊具。
【請求項２１】  請求項２０に記載の避妊具において、
ボデーに取り付けた、織ったあるいは編んだポリエステルを更に包含することを特徴とする避妊具。
【請求項２２】  卵管壁を有する卵管で使用するための避妊具であって、
軸線を構成する受胎阻害体と、
この受胎阻害体まわりに配置した螺旋形のコイルであって、その一部が受胎阻害体に対して動くことができ、或る卵管横断面サイズ範囲にわたって弾力的に拡大して、周囲の卵管壁と半径方向に係合し、卵管内に避妊具を安全に取り付けるようになっている螺旋形のコイルとを包含することを特徴とする避妊具。
【請求項２３】  卵管で使用するための卵管内避妊具であって、
近位端、遠位端およびそれらの間の軸線を有する細長いコイルを包含し、
コイルが静止しているときに、軸線がほぼまっすぐであり、コイルが軸線方向に弾力的であって卵管内軸線方向に本体を挿入するのを容易しており、それによって、受胎を阻害するように避妊具を卵管内に保持するようになっていることを特徴とする避妊具。
【請求項２４】  請求項２３に記載の避妊具において、
コイルに沿って配置した要素を更に包含し、
この要素が、卵管内に本体を取り付けるようになっていることを特徴とする避妊具。
【請求項２５】  管状の横断面と軸線方向の弯曲部を有する卵管壁を有する卵管で使用するための卵管内避妊具であって、
近位端および遠位端を有し、これら端の間に軸線を構成している細長いボデーを包含し、
このボデーが、管状横断面内に軸線方向に挿入するのに適した横断面を有し、このボデーの少なくとも一部が、卵管の軸線方向湾曲部よりまっすぐであり、ボデーが、卵管壁を傷つけることなく卵管壁に向かって偏倚するに充分に可撓性であり、また、まっすぐな部分が卵管の軸線方向湾曲部に沿って撓むときに卵管壁に対して固定力を与えるに充分に弾力的であることを特徴とする卵管内避妊具。
【請求項２６】  請求項２５に記載の避妊具において、
ボデーに沿って配置した要素を更に包含し、
この要素が、卵管内にボデーを取り付けるようになっていることを特徴とする避妊具。
【請求項２７】  請求項２６に記載の避妊具において、
ボデーが、充分な力で卵管壁と弾力的に係合し、要素内へ卵管壁組織が内殖しているときに卵管内にボデーを保持するようになっていることを特徴とする避妊具。
【請求項２８】  請求項２６に記載の避妊具において、
要素が、卵管壁を貫通することなく卵管壁内に侵入し、卵管内にボデーを機械的に保持するようになっていることを特徴とする避妊具。
【請求項２９】  請求項２８に記載の避妊具において、
要素が、瘢痕組織を促進させるようになっていることを特徴とする避妊具。
【請求項３０】  請求項２５に記載の避妊具において、
要素が、ボデーに取り付けた電極を包含し、この電極が卵管壁と係合し、それを乾燥させるようになっていることを特徴とする避妊具。
【請求項３１】  軸線を有する卵管で使用するための避妊具において、
近位端、遠位端およびこれらの端間の軸線を有し、卵管内にほぼ同軸に配置したときに効果的な卵管閉塞をおこなうようになっている構造と、
この閉塞構造に取り付けた細長い部材であって、この部材が、閉塞構造の遠位方向に延びており、充分に可撓性であり、軸線方向に弾力的であり、卵管内で閉塞構造を遠位方向に進めるときにそれを案内する助けとなる細長い部材とを包含することを特徴とする避妊具。
【請求項３２】  請求項３１に記載の避妊具において、
細長い部材が、コイルとコアワイヤとからなることを特徴とする避妊具。
【請求項３３】  請求項３２に記載の避妊具において、
コイルを卵管内に配置したときに、コアワイヤがコイルから取り外せることを特徴とする避妊具。
【請求項３４】  軸線方向に湾曲する卵管内に細長い弾性ボデーを頚部横断状態で挿入し、その結果、卵管がボデーを軸線方向に湾曲させ、この湾曲したボデーがそれを卵管内に固定する助けとなる固定力を生じるようにした段階と、
卵管内に固定したボデーを取り付け、取り付けた弾力性のボデーが受胎を阻害するようにする段階とを包含することを特徴とする避妊方法。
【請求項３５】  遠位のガイド・ワイヤ状構造で避妊具を案内することによって卵管に沿って卵管内避妊具を頚部横断状に挿入する段階と、
卵管内に、ガイド・ワイヤ状構造の少なくとも一部を含めて避妊具を保持し、受胎を阻害するようにする段階とを包含することを特徴とする避妊方法。
【請求項３６】  請求項３５に記載の避妊方法において、
器具が卵管内に保持されている間にガイド・ワイヤ状装置のコイル内からガイド・ワイヤ状構造のコアワイヤを取り出し、避妊具内への卵管組織の内殖を促進させる段階を更に包含することを特徴とする避妊方法。
【請求項３７】  避妊用のキットであって、
卵管内避妊具と、
使用方法を記載している説明書とを包含し、
避妊具を卵管内に頚部横断状に導入する段階と、
卵管内に避妊具を取り付ける段階とを包含することを特徴とする避妊用キット。
【請求項３８】  卵管内避妊具であって、
近位アンカーと、
卵管内に挿入するようになっており、卵管壁の内面に対して弾力的な固定力を与えることができる予形成した遠位アンカーと、
近位アンカーと遠位アンカーの間に延びている管腔横断領域とを包含し、
この管腔横断領域が、近位、遠位アンカーによって避妊具が卵管内に拘束されている間に、隣接した卵管壁に卵管内避妊具を取り付ける手段を包含することを特徴とする卵管内避妊具。
【請求項３９】  請求項３８に記載の卵管内避妊具において、
取り付け手段が、卵管壁を貫通することなく隣接した卵管壁内に埋め込むことができる螺旋形の外面を包含することを特徴とする卵管内避妊具。
【請求項４０】  請求項３８に記載の卵管内避妊具において、
取り付け手段が、卵管壁の組織成長を促進させ、卵管内に卵管内避妊具を永久的に取り付ける手段を包含することを特徴とする卵管内避妊具。
【請求項４１】  請求項４０に記載の卵管内避妊具において、
成長促進手段が、組織内殖を促進するためのポリエステル繊維を含むグループから選択した要素と、瘢痕組織の形成を促進するように卵管壁に結合可能な導電性表面とを包含することを特徴とする卵管内避妊具。
【請求項４２】  卵管内に挿入するためにまっすぐな形態に拘束でき、また、卵管壁の内面に対して弾力的な固定力を与えることができる弾力的なコイルを有する予形成した近位アンカーと、
卵管内に挿入するためにまっすぐな形態に拘束でき、卵管壁の内面に対して弾力的な固定力を与えることのできる弾力的なコイルを有する予形成した遠位アンカーと、
近位、遠位アンカー間を延びている管腔横断領域とを包含し、
この管腔横断領域が、卵管壁の内面に係合するようになっており、遠位アンカーが固定力を与えている間に卵管内避妊具が外れるのを防ぐようになっている螺旋形の外面を有する弾力的な構造を包含することを特徴とする卵管内避妊具。
【請求項４３】  卵管内避妊システムであって、
近位端、遠位端およびこれらの端の間に延びる第１エネルギ導管を有する細長い送り出しボデーと、
送り出しボデーの遠位端近くにあり、第１の横断面を有する卵管内構造と、
第１の導管によって構造に接続してあるエネルギ源であり、このエネルギ源からのエネルギが構造を第２の横断面に再構築し、卵管内に構造を拘束すると共に、この構造が受胎を阻害するようになっているエネルギ源とを包含することを特徴とする卵管内避妊システム。
【請求項４４】  請求項４３の避妊システムにおいて、
エネルギ源から構造まで延びている第２の導管を更に包含し、
電気エネルギが構造の少なくとも一部を通して導管間に伝送され、これらの導管が導体を包含することを特徴とする避妊システム。
【請求項４５】  請求項４４の避妊システムにおいて、
構造が形状記憶合金からなり、電気エネルギが形状記憶合金の位相変換を行って構造を半径方向に拡大させることを特徴とする避妊システム。
【請求項４６】  卵管内避妊システムであって、
近位端、遠位端およびこれらの端の間に延在する第１、第２の導体を有する細長い送り出しボデーと、
この送り出しボデーの遠位端近くに設けた卵管内避妊構造と、
第１、第２の導体によって構造に接続させることができる電力供給源とを包含することを特徴とする卵管内避妊システム。